(57)【要約】  プラグイン充電作業時、作業進行判断や個別操作等によるユーザへの操作負荷を与えることなく充電作業が進行することで、プラグイン充電作業性を改善すること。  スイッチ手段と、アクチュエータ駆動回路と、充電コネクタ(20)を普通充電ポート(21)へ差し込んだとき、充電コネクタ(20)のロック状態とアンロック状態を切り替えるコネクタロック機構(7)と、両充電ポート(21,22)を覆う充電ポートリッド(23)を閉鎖したとき、充電ポートリッド(23)のロックを解除するリッドロック解除機構(6)と、を備える。この電気自動車の充電システムにおいて、スイッチ手段を、携帯リモコンキー(1)に設定され、ユーザ操作により操作信号を送信すると、コネクタロック機構(7)のアンロック動作機能と、充電ポートリッド(23)のロック解除動作機能と、を発揮する１つの遠隔操作スイッチ(1c)とした。
2013137029.tif 000002
【特許請求の範囲】
【請求項１】
ユーザのスイッチ操作により操作信号を出力するスイッチ手段と、
前記スイッチ手段からの操作信号を入力すると、アクチュエータに対する駆動指令を出力するアクチュエータ駆動回路と、
車外電源からの充電コネクタを車両側の充電ポートへ差し込んだとき、電気的接続位置にて前記充電コネクタを係合する充電コネクタ係合機構に設けられ、前記充電コネクタの係合解除操作を禁止するロック状態と係合解除操作を許容するアンロック状態を切り替えるコネクタロック機構と、
前記充電ポートを覆う充電ポートリッドを閉鎖したとき、リッド閉鎖位置にて前記充電ポートリッドをロックするリッドロック機構に設けられ、前記充電ポートリッドのロックを解除するリッドロック解除機構と、
を備えた電動車両の充電システムにおいて、
前記スイッチ手段を、携帯リモコンキーに設定され、ユーザ操作により操作信号を送信すると、前記コネクタロック機構のアンロック動作機能と、前記充電ポートリッドのロック解除動作機能と、を発揮する１つの遠隔操作スイッチとした
ことを特徴とする電動車両の充電システム。
【請求項２】
請求項１に記載された電動車両の充電システムにおいて、
前記遠隔操作スイッチを設定した携帯リモコンキーを、ユーザ操作により操作信号を出力したとき、車載コントローラとの間で通信が成立すると、車両用ドアの施錠/開錠を行うドア用操作スイッチを備えた車両用ドアの携帯リモコンキーとした
ことを特徴とする電動車両の充電システム。
【請求項３】
請求項２に記載された電動車両の充電システムにおいて、
前記車両用ドアの携帯リモコンキーに、前記遠隔操作スイッチを、前記ドア用操作スイッチとは別に設定した
ことを特徴とする電動車両の充電システム。
【請求項４】
請求項１から３までの何れか１項に記載された電動車両の充電システムにおいて、
前記アクチュエータ駆動回路を、前記遠隔操作スイッチへの操作による操作信号を入力すると、前記コネクタロック機構のロックアクチュエータに対してアンロック状態とする駆動指令と、前記リッドロック解除機構のオープナーアクチュエータに対してロックを解除する駆動指令と、を常に出力する充電作業用コントローラとした
ことを特徴とする電動車両の充電システム。
【請求項５】
請求項１から４までの何れか１項に記載された電動車両の充電システムにおいて、
前記充電ポートに光を照射するポート照明器を設け、
前記遠隔操作スイッチは、ユーザ操作により操作信号を送信すると、前記ポート照明器の点灯機能を発揮する
ことを特徴とする電動車両の充電システム。
【請求項６】
請求項５に記載された電動車両の充電システムにおいて、
前記アクチュエータ駆動回路を、前記遠隔操作スイッチへの操作による操作信号を入力すると、前記コネクタロック機構のロックアクチュエータに対してアンロック状態とする駆動指令と、前記リッドロック解除機構のオープナーアクチュエータに対してロックを解除する駆動指令と、前記ポート照明器への点灯指令を常に出力する充電作業用コントローラとした
ことを特徴とする電動車両の充電システム。
【請求項７】
請求項１から６までの何れか１項に記載された電動車両の充電システムにおいて、
前記遠隔操作スイッチへのユーザ操作による動作機能と同じ機能を発揮する車内操作スイッチを、車室内に設定した
ことを特徴とする電動車両の充電システム。
【請求項８】
車両側の充電ポートへ差し込まれた充電コネクタの係合解除操作を禁止するロック状態と係合解除操作を許容するアンロック状態を切り替えるコネクタロック機構と、
前記充電ポートを覆う充電ポートリッドのロックを解除するリッドロック解除機構と、
を備えた電動車両に対して操作信号を送信する携帯リモコンキーであって、
ユーザ操作により操作信号を送信すると、車両用ドアの施錠/開錠を行うドア用操作スイッチと、
ユーザ操作により操作信号を送信すると、前記コネクタロック機構のアンロック動作機能と、前記充電ポートリッドのロック解除動作機能と、を発揮する１つの遠隔操作スイッチと、
を有することを特徴とする携帯リモコンキー。
【請求項９】
請求項８に記載された携帯リモコンキーにおいて、
前記遠隔操作スイッチを、前記ドア用操作スイッチとは別に設定した
ことを特徴とする携帯リモコンキー。
【請求項１０】
請求項８又は９に記載された携帯リモコンキーにおいて、
前記遠隔操作スイッチは、ユーザ操作により操作信号を送信すると、充電ポートに光を照射するポート照明器を点灯する
ことを特徴とする携帯リモコンキー。
【発明の詳細な説明】
【技術分野】
【０００１】
本発明は、車外電源からの充電コネクタを車両側の充電ポートに差し込み接続してプラグイン充電を行う電動車両の充電システムと携帯リモコンキーに関する。
【背景技術】
【０００２】
従来、電動車両としては、スマートエントリー手段によるドアの施錠/開錠と同期し、コネクタロック機構のロック/アンロックを行うものが知られている（例えば、特許文献１参照）。なお、コネクタロック機構は、車外電源からの充電コネクタを車両側の充電ポートに差し込んだ位置にて係合したとき、係合解除操作を禁止するロックと係合解除操作を許容するアンロックを切り替える。
【先行技術文献】
【特許文献】
【０００３】
【特許文献１】特開２０１０−２６４８４７号公報
【発明の概要】
【発明が解決しようとする課題】
【０００４】
しかしながら、従来の電動車両にあっては、スマートエントリー手段によるドアの施錠/開錠と同期し、コネクタロック機構のロック/アンロックを行うだけである。このため、充電ポートリッドのロック解除動作機能を持たせるには、新たに携帯リモコンキーにスイッチを追加する必要がある。このように、充電コネクタのコネクタロック解除機能と、充電ポートリッドのロック解除動作機能と、を発揮するスイッチを、それぞれ個別に設定した場合、プラグイン充電作業状況を的確に判断した上で、２つの個別スイッチを使い分けて操作する必要があり、ユーザに対し大きな操作負荷を与えると共に、操作間違いによる無駄時間が増える、という問題があった。【０００５】
本発明は、上記問題に着目してなされたもので、プラグイン充電作業時、作業進行判断や個別操作等によるユーザへの操作負荷を与えることなく充電作業が進行することで、プラグイン充電作業性を改善することができる電動車両の充電システムと携帯リモコンキーを提供することを目的とする。
【課題を解決するための手段】
【０００６】
上記目的を達成するため、本発明の電動車両の充電システムは、スイッチ手段と、アクチュエータ駆動回路と、コネクタロック機構と、リッドロック解除機構と、を備える。
前記スイッチ手段は、ユーザのスイッチ操作により操作信号を出力する。
前記アクチュエータ駆動回路と、前記スイッチ手段からの操作信号を入力すると、アクチュエータに対する駆動指令を出力する。
前記コネクタロック機構は、車外電源からの充電コネクタを車両側の充電ポートへ差し込んだとき、電気的接続位置にて前記充電コネクタを係合する充電コネクタ係合機構に設けられ、前記充電コネクタの係合解除操作を禁止するロック状態と係合解除操作を許容するアンロック状態を切り替える。
前記リッドロック解除機構は、前記充電ポートを覆う充電ポートリッドを閉鎖したとき、リッド閉鎖位置にて前記充電ポートリッドをロックするリッドロック機構に設けられ、前記充電ポートリッドのロックを解除する。
この電動車両の充電システムにおいて、
前記スイッチ手段を、携帯リモコンキーに設定され、ユーザ操作により操作信号を送信すると、前記コネクタロック機構のアンロック動作機能と、前記充電ポートリッドのロック解除動作機能と、を発揮する１つの遠隔操作スイッチとした。
【発明の効果】
【０００７】
よって、携帯リモコンキーの１つの遠隔操作スイッチに対しユーザ操作による操作信号を送信すると、充電ポートリッドのロックを解除するリッドロック解除機能と、コネクタロック機構をアンロック状態とするアンロック動作機能が発揮される。
すなわち、充電ポートリッドを開いてプラグイン充電を開始するとき、１つの遠隔操作スイッチを操作すると、充電ポートリッドのリッドロックが解除され、プラグイン充電の開始作業体制が整えられる。また、充電ポートから充電コネクタを取り外してプラグイン充電を終了するとき、１つの遠隔操作スイッチを操作すると、コネクタロックがアンロック状態とされ、プラグイン充電の終了作業体制が整えられる。
すなわち、プラグイン充電作業時において、ユーザがプラグイン充電作業の進行段階を判断したり、個別のスイッチを選択して操作したりする必要が無くなり、ユーザへの操作負荷を与えることなく、充電作業がスムーズに進行する。
この結果、プラグイン充電作業時、作業進行判断や個別操作等によるユーザへの操作負荷を与えることなく充電作業が進行することで、プラグイン充電作業性を改善することができる。
【図面の簡単な説明】
【０００８】
【図１】実施例１の電気自動車の充電システムの全体概略構成を示すシステム全体概略構成図である。
【図２】実施例１の電気自動車の充電システムの全体回路構成を示すシステム全体回路構成図である。
【図３】実施例１の充電システムにおいて車外操作アイテムとして用いられる携帯リモコンキーを示す正面図である。
【図４】実施例１の充電システムにおいて車内操作アイテムとして用いられる車内操作スイッチ及びロックモード選択スイッチを示す車室内パネル図である。
【図５】実施例１の充電システムにおいて充電コネクタが差し込まれる車両側の充電ポートを覆う充電ポートリッドを開いた状態を示す車両前部斜視図である。
【図６】実施例１の充電システムにおいて普通充電ポートに差し込み接続した充電コネクタのロック状態を示す断面図である。
【図７】実施例１の充電システムにおいて普通充電ポートに差し込み接続した充電コネクタのロック状態の詳細を示す図６Ａ部の拡大断面図である。
【図８】実施例１の充電システムにおいて普通充電ポートに差し込み接続した充電コネクタのアンロック状態(a)とロック状態(b)を示す図６Ｂ−Ｂ線による説明図である。
【図９】実施例１のロックモード選択スイッチにより選択されるオートモード・アンロックモード・ロックモードのそれぞれのモードにおける充電コネクタのロック/アンロック状態を示すタイムチャートである。
【発明を実施するための形態】
【０００９】
以下、本発明の電動車両の充電システムと携帯リモコンキーを実現する最良の形態を、図面に示す実施例１に基づいて説明する。
【実施例１】
【００１０】
まず、構成を説明する。
実施例１における電気自動車（電動車両の一例）の充電システムの構成を、「全体システム構成」、「充電作業用操作アイテムの構成」、「充電コネクタ及び車両側充電構成」に分けて説明する。【００１１】
［全体システム構成］
図１は、実施例１の電気自動車の充電システムの全体概略構成を示し、図２は、全体回路構成を示す。以下、図１及び図２に基づき、全体システム構成を説明する。【００１２】
実施例１の電気自動車の充電システムは、入力構成要素として、図１に示すように、携帯リモコンキー１と、ボディコントロールモジュール２（以下、「ＢＣＭ２」と略称する。）と、車内操作スイッチ３と、ロックモード選択スイッチ４と、を備えている。
前記携帯リモコンキー１は、インテリジェントキーと呼ばれ、ユーザが携帯する。前記ＢＣＭ２（車載コントローラ）は、図２に示すように、アンテナ１３を有し、車両に搭載される。前記車内操作スイッチ３（押しボタン型スイッチ）と前記ロックモード選択スイッチ４（３段シーソー型スイッチ：図２参照）は、車室内のインストルメントパネル１４に配置される。【００１３】
前記充電システムは、演算処理構成要素として、図１に示すように、ビークルコントロールモジュール５（以下、「ＶＣＭ５」と略称する。）を備えている。
前記ＶＣＭ５（アクチュエータ駆動回路、充電作業用コントローラ）は、図２に示すように、車内操作スイッチ３からの入力回路５ａと、ＢＣＭ２からの入力回路５ｂと、ロックモード選択スイッチ４のスイッチ部４ａ，４ｂからの入力回路５ｃ，５ｄと、を有する。そして、入力信号に基づいて演算処理を行い、演算処理結果にしたがって各駆動回路に指令を出力するマイコン５ｅを有する。さらに、ポート照明器８への駆動回路５ｆと、リッドロック解除機構６に設けたオープナーアクチュエータ６ａへの駆動回路５ｇと、コネクタロック機構７に設けたロックアクチュエータ７ａへの駆動回路５ｈ及び正転・逆転切換回路５ｉと、ロックモード選択スイッチ４のランプ４ｃ，４ｄへの駆動回路５ｊ，５ｋと、を有する。【００１４】
前記充電システムは、出力構成要素として、図１に示すように、リッドロック解除機構６と、コネクタロック機構７と、ポート照明器８と、を備えている。
前記リッドロック解除機構６と前記コネクタロック機構７と前記ポート照明器８は、何れも車両前部に配置された普通充電ポート２１，急速充電ポート２２及び充電ポートリッド２３の周辺領域に設定される（図５参照）。これらリッドロック解除機構６とコネクタロック機構７とポート照明器８は、携帯リモコンキー１の遠隔操作スイッチ１ｃ又は車内操作スイッチ３に対する押し操作により作動する。【００１５】
前記充電システムは、図１に示すように、車両情報ディスプレイ９と、アンサーバックライト１０と、ビークルサウンドコントローラ１１と、アンサーバック車内スピーカ１２ａと、アンサーバック車外スピーカ１２ｂと、を出力構成要素として加えている。
前記車両情報ディスプレイ９は、メータ表示部の中に設定された画面であり、イグニッションオフ後、ロックモード選択スイッチ４による選択モードをユーザに知らせる。前記アンサーバックライト１０は、インストルメントパネル１４の上部位置に配置され、携帯リモコンキー１の遠隔操作スイッチ１ｃ又は車内操作スイッチ３に対し押し操作が行われ、かつ、有効に動作するとき、複数回（例えば、３回）点滅する。前記アンサーバック車内スピーカ１２ａ及びアンサーバック車外スピーカ１２ｂは、アンサーバックライト１０の点滅に対応して知らせ音を発する。【００１６】
［充電作業用操作アイテムの構成］
図３は、実施例１の充電システムにおける携帯リモコンキー１を示す。図４は、車内操作スイッチ３及びロックモード選択スイッチ４を示す。以下、図３及び図４に基づき、充電作業用操作アイテムの構成を説明する。【００１７】
実施例１の充電作業用操作アイテムとしては、図３に示すように、車外操作アイテムとして携帯リモコンキー１が用いられ、図４に示すように、車内操作アイテムとして車内操作スイッチ３及びロックモード選択スイッチ４が用いられる。【００１８】
前記携帯リモコンキー１は、ドア閉スイッチ１ａ（ドア用操作スイッチ）及びドア開スイッチ１ｂ（ドア用操作スイッチ）とは別に、遠隔操作スイッチ１ｃを設定している。遠隔操作スイッチ１ｃは、ユーザが押し操作を行うと、リッドロック解除機構６に対するロック解除動作機能と、コネクタロック機構７に対するアンロック動作機能と、ポート照明器８に対するポート点灯動作機能と、の３つの動作機能を発揮する。なお、携帯リモコンキー１には、上記スイッチ１ａ，１ｂ，１ｃ以外に、ハザードランプ点灯操作スイッチ１ｄを設定している。また、携帯リモコンキー１は、メカニカルキー１ｅを内蔵している。【００１９】
前記車内操作スイッチ３は、インストルメントパネル１４のうち、ドライバーから手が届くステアリングホイール１５の横位置に設定され、車内操作スイッチ３への押し操作を行うと、遠隔操作スイッチ１ｃと全く同じ３つの動作機能を発揮する。【００２０】
前記ロックモード選択スイッチ４は、車内操作スイッチ３の隣接位置に配置され、充電コネクタ２０を普通充電ポート２１に接続したとき、ロック（取り外し不可）とアンロック（取り外し可）を制御する３種類のロックモードからの選択自由度をユーザに与える。ここで、３種類のロックモードとは、常にアンロックとする「アンロックモード（基本モード）」、充電中にロックとする「オートモード」、普通充電ポート２１への充電コネクタ２０の接続中にロックとする「ロックモード」である。【００２１】
［プラグイン充電構成］
図５は、実施例１の充電システムにおいて充電コネクタ２０が差し込まれる車両側の充電ポート２１，２２を覆う充電ポートリッド２３を開いた状態を示す。図６〜図８は、普通充電ポート２１に差し込み接続した充電コネクタ２０のロック/アンロックの構成を示す。以下、図５〜図８に基づき、プラグイン充電構成を説明する。【００２２】
実施例１のプラグイン充電構成は、図５〜図８に示すように、充電コネクタ２０と、普通充電ポート２１と、急速充電ポート２２と、充電ポートリッド２３と、リッドロック解除機構６と、コネクタロック機構７と、ポート照明器８と、を備えている。【００２３】
前記充電コネクタ２０は、図６に示すように、充電スタンドや家庭用充電設備等の車外電源２４からの充電ハーネス２５の先端部に設けられ、車両側の普通充電ポート２１（又は急速充電ポート２２）に差し込み接続する。この充電コネクタ２０には、図６に示すように、充電コネクタ２０と普通充電ポート２１（又は急速充電ポート２２）の電気的接続位置にて充電コネクタ２０を車両側に係合する充電コネクタ係合機構２６を有する。充電コネクタ係合機構２６は、レバー軸２７を中心として回動可能に設けられたリリースレバー２８により構成される。リリースレバー２８には、戻し付勢力を与えるリターンスプリング２９が配置された操作部２８ａがレバー後端側に形成され、車両側のフレーム４０に係合するラッチ部２８ｂがレバー先端側に形成される。【００２４】
前記普通充電ポート２１及び前記急速充電ポート２２は、図５に示すように、車両前部に形成した凹部形状の充電ポートハウジング３０に並べて配置される。この普通充電ポート２１は、家庭用充電設備や普通充電スタンド等による充電時に用いる充電ポートであり、普通充電器を介して図外の車載バッテリ（例えば、リチウムイオンバッテリ）と接続されている。急速充電ポート２２は、急速充電スタンド等による充電時に用いる充電ポートであり、急速充電器を介して図外の車載バッテリと接続されている。なお、充電モードには、充電コネクタ２０が普通充電ポート２１又は急速充電ポート２２に接続されると充電を開始する即充電モード、充電コネクタ２０が普通充電ポート２１又は急速充電ポート２２に接続され、設定された時間になると充電を開始するタイマー充電モード、等がある。【００２５】
前記充電ポートリッド２３は、表面形状を車両前部のアウターパネルに沿った形状とされ、開放したときポートリッドヒンジ３１，３１によりリッド開度を確保し、閉鎖したとき両充電ポート２１，２２を覆う。この充電ポートリッド２３の裏面位置にストライカ３２が設けられ、該ストライカ３２に対応する車両側位置にリッドロック機構３３が設けられる。このリッドロック機構３３は、リッド閉鎖位置にて充電ポートリッド２３のストライカ３２をロックするもので、充電ポートハウジング３０のストライカ溝３０ａを有する隆起部３０ｂに内蔵される。【００２６】
前記リッドロック解除機構６は、オープナーアクチュエータ６ａへの外部からの指令により、リッドロック機構３３によるロックを解除するもので、充電ポートハウジング３０に内蔵されたリッドロック機構３３に付設される。充電ポートハウジング３０の外周位置には、充電ポートリッド２３の閉鎖位置にてシール性を確保するパーティングシール３４が設けられる。このパーティングシール３４は、リッドロック機構３３によるロックを解除したとき、復元弾性力により充電ポートリッド２３をポップアップさせる。【００２７】
前記コネクタロック機構７は、いたずら防止（例：通りすがりに出来心で充電コネクタ２０を抜こうとする）のために設けられたもので、ロックアクチュエータ７ａへの外部からの指令により、ロック状態とアンロック状態を切り替える。ロック状態とは、リリースレバー２８による充電コネクタ２０の係合解除操作を禁止する状態をいい、アンロック状態とは、充電コネクタ２０の係合解除操作を許容する状態をいう。このコネクタロック機構７は、図７及び図８に示すように、ロックアクチュエータ７ａにより正逆回動するプレート軸７１に設けられ、ロック位置ストッパ７２とアンロック位置ストッパ７３の間を動作するロックプレート７４により構成される。すなわち、ロックプレート７４がリリースレバー２８のラッチ部２８ｂから離れた位置に配置され、ラッチ部２８ｂの係合解除動作を許容するのがアンロック状態であり（図８(a)）、ロックプレート７４がリリースレバー２８のラッチ部２８ｂの位置の真上に配置され、ラッチ部２８ｂの係合解除動作を禁止するのがロック状態である（図８(b)）。【００２８】
前記ポート照明器８は、図５に示すように、充電ポートハウジング３０のうち、普通充電ポート２１と急速充電ポート２２の間の上部位置に突出して設定されている。このポート照明器８は、１チップＬＥＤライトとライトカバーによる構成であり、ライトカバーに普通充電ポート２１に向かうスリットと、急速充電ポート２２に向かうスリットと、を開口している。この構成により、ポート照明器８の点灯時には、普通充電ポート２１と急速充電ポート２２を同時に照らすようにしている。【００２９】
次に、作用を説明する。
実施例１の電気自動車の充電システムにおける作用を、「遠隔操作スイッチへのスイッチ操作作用」、「アンロックモード選択時のプラグイン充電作業手順」、「オートモード選択時のプラグイン充電作業手順」、「ロックモード選択時のプラグイン充電作業手順」に分けて説明する。さらに、「車外充電作業中の防犯作用」、「ユーザ側での１操作による充電作業の改善作用」、「車両側での複数指令による充電作業の改善作用」を説明する。【００３０】
［遠隔操作スイッチへのスイッチ操作作用］
携帯リモコンキー１の遠隔操作スイッチ１ｃにユーザが押し操作をしたときのスイッチ操作作用を説明する。
遠隔操作スイッチ１ｃに対しユーザが押し操作したことで、遠隔操作スイッチ１ｃが押されたことをＢＣＭ２が検出するとアンテナ２ａを起動させる。そして、携帯リモコンキー１がアンテナ検出エリア内にあれば、ＢＣＭ２から携帯リモコンキー１へリクエスト信号を出力し、リクエスト信号を受信した携帯リモコンキー１からＢＣＭ２へキーＩＤ信号を送信する。ＢＣＭ２では、車両に登録されているキーＩＤと送信されたキーＩＤ信号の照合を行い、ＩＤが一致することにより携帯リモコンキー１とＢＣＭ２との間で通信が成立すると、ＶＣＭ５に操作信号（ON信号）を出力する。そして、ＶＣＭ５は、ＢＣＭ２からON信号を入力すると、下記の３つの動作機能を発揮する。【００３１】
(a) 充電ポートリッド２３が閉鎖されているときには、ＢＣＭ２からON信号により、リッドロック解除機構６を動作させ、リッドロック機構３３による充電ポートリッド２３の閉鎖ロックを解除する。この閉鎖ロックを解除により、パーティングシール３４の復元弾性力により充電ポートリッド２３がポップアップし、充電ポートリッド２３を手動により開放可能とする。なお、充電ポートリッド２３が既に開放されているときには、充電ポートリッド２３のロック解除状態を維持する。【００３２】
(b) コネクタロック機構７のロックプレート７４がラッチ部２８ｂの係合解除を禁止するロック状態（図８(b)）であるときには、ＢＣＭ２からON信号により、アンロック状態（図８(a)）までロックプレート７４を回動させる。これにより、ロックプレート７４が、リリースレバー２８のラッチ部２８ｂから離れてラッチ部２８ｂの係合解除が許容され、充電コネクタ２０の取り外しが可能なアンロック状態とされる。なお、ロックプレート７４が既にアンロック状態の位置にあれば、その状態を維持する。【００３３】
(c) ポート照明器８を、ＢＣＭ２からON信号をトリガーとして点灯する。点灯しているポート照明器８は、充電コネクタ２０の取り外しがないときは、所定時間後（例えば、３分後）にタイマーで消灯する。また、点灯しているポート照明器８は、充電コネクタ２０の取り外しがあると、コネクタ取り外しのタイミングにて消灯する。【００３４】
［アンロックモード選択時のプラグイン充電作業手順］
図９のアンロックモード選択時における充電コネクタ２０のロック/アンロック状態を示すタイムチャートに基づき、アンロックモード選択時のプラグイン充電作業手順を説明する。なお、ロックモード選択スイッチ４による「アンロックモード」は、例えば、家庭のガレージ内やロック禁止エリア等での充電時に選択される。【００３５】
プラグイン充電作業を開始するときは、まず、携帯リモコンキー１の遠隔操作スイッチ１ｃ又は車内操作スイッチ３に対しユーザが押し操作をする。これにより、充電ポートリッド２３の閉鎖ロックが解除され、充電ポートリッド２３がポップアップし、充電ポートリッド２３を手動により開放可能とする。なお、ロックプレート７４は、常にアンロック状態の位置であるため、アンロック状態が維持される。ポート照明器８は、ユーザ操作により点灯し、所定時間後にタイマーで消灯する。【００３６】
次に、充電ポートリッド２３を手動により全開とし、充電コネクタ２０を、普通充電ポート２１に差し込み接続する。この充電コネクタ２０の差し込み操作により、即充電モードであれば、充電コネクタ２０が普通充電ポート２１に接続されると同時に充電が開始され、タイマー充電モードであれば、設定時間になると充電が開始される。【００３７】
次に、プラグイン充電が終了すると、リリースレバー２８の操作部２８ａを押して充電コネクタ２０の係合を外し、充電コネクタ２０を普通充電ポート２１から取り外す。そして、充電ポートリッド２３を手で閉じることで、閉鎖位置で充電ポートリッド２３をロックし、プラグイン充電作業を完了する。【００３８】
すなわち、「アンロックモード」が選択されているときは、常に充電コネクタ２０を普通充電ポート２１から取り外し可能である。このため、プラグイン充電の終了後、携帯リモコンキー１の遠隔操作スイッチ１ｃ又は車内操作スイッチ３に対するユーザの押し操作を必要としない。なお、夜間における充電コネクタ２０の取り外し操作時においては、携帯リモコンキー１の遠隔操作スイッチ１ｃ又は車内操作スイッチ３に対するユーザの押し操作を行うことで、ポート照明器８を、ユーザ操作により点灯させることができる。【００３９】
［オートモード選択時のプラグイン充電作業手順］
図９のオートモード選択時における充電コネクタ２０のロック/アンロック状態を示すタイムチャートに基づき、オートモード選択時のプラグイン充電作業手順を説明する。なお、ロックモード選択スイッチ４による「オートモード」は、例えば、充電が終了すると後続車に譲る必要がある普通充電スタンド等での充電時に選択される。【００４０】
プラグイン充電作業を開始するときは、まず、携帯リモコンキー１の遠隔操作スイッチ１ｃ又は車内操作スイッチ３に対しユーザが押し操作をする。これにより、充電ポートリッド２３の閉鎖ロックが解除され、充電ポートリッド２３がポップアップし、充電ポートリッド２３を手動により開放可能とする。なお、ロックプレート７４は、充電作業開始のときにアンロック状態の位置であるため、アンロック状態が維持される。ポート照明器８は、ユーザ操作により点灯し、所定時間後にタイマーで消灯する。【００４１】
次に、充電ポートリッド２３を手動により全開とし、充電コネクタ２０を、普通充電ポート２１に差し込み接続する。この充電コネクタ２０の差し込み操作をした後、充電が開始されると、自動的にロックプレート７４が、ロック状態の位置とされ、基本的に充電中は充電コネクタ２０のロック状態が維持される。なお、例外として、車外電源２４が停電中、あるいは、意図的に車外電源２４を遮断すると、電源遮断中、ロックプレート７４が自動的にロック状態からアンロック状態に移行する。【００４２】
次に、プラグイン充電が終了すると、ロックプレート７４が自動的にロック状態からアンロック状態に移行する。このため、プラグイン充電の終了後、リリースレバー２８の操作部２８ａを押して充電コネクタ２０の係合を外し、充電コネクタ２０を普通充電ポート２１から取り外す。そして、充電ポートリッド２３を手で閉じることで、閉鎖位置で充電ポートリッド２３をロックし、プラグイン充電作業を完了する。【００４３】
すなわち、「オートモード」が選択されているときは、プラグイン充電終了という条件が成立すると、ロックプレート７４が自動的にロック状態からアンロック状態に移行し、充電コネクタ２０を普通充電ポート２１から取り外し可能である。このため、プラグイン充電の終了後、携帯リモコンキー１の遠隔操作スイッチ１ｃ又は車内操作スイッチ３に対するユーザの押し操作を必要としない。なお、夜間における充電コネクタ２０の取り外し操作時においては、携帯リモコンキー１の遠隔操作スイッチ１ｃ又は車内操作スイッチ３に対するユーザの押し操作を行うことで、ポート照明器８を、ユーザ操作により点灯させることができる。【００４４】
［ロックモード選択時のプラグイン充電作業手順］
図９のロックモード選択時における充電コネクタ２０のロック/アンロック状態を示すタイムチャートに基づき、ロックモード選択時のプラグイン充電作業手順を説明する。なお、ロックモード選択スイッチ４による「ロックモード」は、例えば、道路に面した個人専用の充電施設等での充電時に選択される。【００４５】
プラグイン充電作業を開始するときは、まず、携帯リモコンキー１の遠隔操作スイッチ１ｃ又は車内操作スイッチ３に対しユーザが押し操作をする。これにより、充電ポートリッド２３の閉鎖ロックが解除され、充電ポートリッド２３がポップアップし、充電ポートリッド２３を手動により開放可能とする。なお、ロックプレート７４は、充電作業開始のときにアンロック状態の位置であるため、アンロック状態が維持される。ポート照明器８は、ユーザ操作により点灯し、所定時間後にタイマーで消灯する。【００４６】
次に、充電ポートリッド２３を手動により全開とし、充電コネクタ２０を、普通充電ポート２１に差し込み接続する。この充電コネクタ２０の差し込み操作をすると、自動的にロックプレート７４が、自動的にアンロック状態からロック状態に移行する。【００４７】
次に、プラグイン充電が終了すると、携帯リモコンキー１の遠隔操作スイッチ１ｃ又は車内操作スイッチ３に対しユーザが押し操作をする。このユーザ操作により、ロックプレート７４がロック状態からアンロック状態に移行し、ポート照明器８が、ユーザ操作により点灯し、充電コネクタ２０の取り外しのタイミングにて消灯する。このため、プラグイン充電の終了後、リリースレバー２８の操作部２８ａを押して充電コネクタ２０の係合を外し、充電コネクタ２０を普通充電ポート２１から取り外す。そして、充電ポートリッド２３を手で閉じることで、閉鎖位置で充電ポートリッド２３をロックし、プラグイン充電作業を完了する。【００４８】
すなわち、「ロックモード」が選択されているときは、充電コネクタ２０の普通充電ポート２１への差し込み接続という条件が成立すると、ロックプレート７４が自動的にアンロック状態からロック状態に移行する。このため、プラグイン充電の終了後、充電コネクタ２０を普通充電ポート２１から取り外すには、携帯リモコンキー１の遠隔操作スイッチ１ｃ又は車内操作スイッチ３に対するユーザの押し操作を必要とする。【００４９】
［車外充電作業中の防犯作用］
車外でのプラグイン充電作業中に車両ドアの携帯リモコンキー１を利用する場合は、車外からの遠隔操作になることで、防犯性を確保することが必要である。以下、これを反映する車外充電作業中の防犯作用を説明する。【００５０】
例えば、スマートエントリー手段によるドアの施錠/開錠と同期し、コネクタロック機構のロック/アンロックを行うものを比較例とする。
この比較例の場合、充電ポートから充電コネクタを取り外すためにコネクタロック機構をアンロックにしたいとき、携帯している電子キーのドア開錠スイッチを押す操作を行う必要がある。この電子キーのドア開錠スイッチを押す操作を行うと、コネクタロック機構をアンロックにすると同時にドアが開錠する。このため、車外での充電作業中であるにもかかわらず、ドアロックが解除されて第三者の車室内への侵入を許す状況を作り出すことになり、防犯性が低くなる。【００５１】
これに対し、実施例１では、「ロックモード」を選択してのプラグイン充電作業中において、携帯リモコンキー１の遠隔操作スイッチ１ｃを押し操作すると、コネクタロック機構７がアンロック状態とされる構成を採用した。【００５２】
このため、プラグイン充電作業を終了する際、携帯リモコンキー１に対し遠隔操作を行うと、充電コネクタ２０の係合解除操作が許容される。したがって、リリースレバー２８の操作部２８ａを押す係合解除操作をし、充電コネクタ２０を引き抜くことで、普通充電ポート２１から充電コネクタ２０を取り外すことができる。【００５３】
このとき、遠隔操作スイッチ１ｃは、携帯リモコンキー１に対してドア閉スイッチ１ａやドア開スイッチ１ｂとは別に設定されているため、遠隔操作スイッチ１ｃを押し操作しても車両用ドアのロックが解除されることがない。したがって、車外でのプラグイン充電作業中に、ドアロックを解除するといった第三者の車室内への侵入を許す状況を作り出すことがなく、防犯性が確保される。【００５４】
このように、実施例１では、充電コネクタ２０のアンロック操作を、車両用ドアの携帯リモコンキー１を用いた車外からの遠隔操作としながら、防犯性が確保される。【００５５】
［ユーザ側での１操作による充電作業の改善作用］
プラグイン充電作業を改善するためには、作業開始から作業終了までの複数の異なる動作要求に対してユーザ操作をできる限り簡潔にすることが必要である。以下、これを反映する操作者側での１操作による充電作業の改善作用を説明する。【００５６】
例えば、充電作業用操作アイテムとしてのスイッチを、コネクタロック機構のアンロック動作機能と、充電ポートリッドのロック解除動作機能と、ポート照明器の点灯動作機能の３つの動作機能に対し、それぞれ個別に設定した場合を比較例とする。【００５７】
この比較例の場合、プラグイン充電作業の開始時においては、リッドロック解除スイッチを選択して押し、さらに、夜間作業の場合は、ポート照明スイッチを押すというユーザ操作を要する。また、プラグイン充電作業の終了時においては、コネクタアンロックスイッチを選択して押し、さらに、夜間作業の場合は、ポート照明スイッチを押すというユーザ操作を要する。【００５８】
すなわち、プラグイン充電作業状況を的確に判断した上で、３つの個別スイッチを使い分けて操作する必要があり、ユーザに対し大きな操作負荷を与えると共に、操作間違いによる無駄時間が増える。【００５９】
これに対し、実施例１では、携帯リモコンキー１に対し遠隔操作スイッチ１ｃを１つ設定し、この１つの遠隔操作スイッチ１ｃに対する１つの操作のみで、コネクタロック機構７のアンロック動作機能と、充電ポートリッド２３のロック解除動作機能と、を常に達成する構成を採用した。
この構成により、プラグイン充電作業が開始時であるか終了時であるかにかかわりなく、１つの遠隔操作スイッチ１ｃに対する操作で、コネクタロック機構７のアンロック動作機能と、充電ポートリッド２３のロック解除動作機能と、が常に達成される。つまり、ロック解除動作機能とアンロック動作機能は、作業開始時においてアンロック動作機能が実行されても問題無いし、作業終了時においてロック解除動作機能が実行されても問題無いというように、相互に干渉し合うような関係ではない。
したがって、プラグイン充電作業の開始時であるか終了時であるかの判断を要さず、携帯リモコンキー１の１つの遠隔操作スイッチ１ｃに対して操作するだけで、ユーザへの操作負荷を与えることなく充電作業がスムーズに進行することで、プラグイン充電作業性が改善される。【００６０】
［車両側での複数指令による充電作業の改善作用］
プラグイン充電作業を改善するためには、作業開始から作業終了までの進行段階毎での異なる動作要求に応えることができるように車両側で準備体制を整えておくことが必要である。以下、これを反映する車両側での複数指令による充電作業の改善作用を説明する。【００６１】
例えば、充電作業コントローラを、プラグイン充電作業の進行段階を判断し、判断した作業進行段階に応じて、コネクタロック機構のアンロック動作指令と、充電ポートリッドのロック解除動作指令と、ポート照明器の点灯動作指令の３つの動作指令を分けて発揮させる場合を比較例とする。【００６２】
この比較例の場合、プラグイン充電作業の開始段階であるとの判断時においては、リッドロック解除動作指令を出力し、さらに、夜間作業であると判断された場合は、ポート照明の点灯動作指令を出力させることになる。また、プラグイン充電作業の終了段階であるとの判断時においては、アンロック動作指令を出力し、さらに、夜間作業の場合は、ポート照明の点灯動作指令を出力させることになる。【００６３】
すなわち、様々な入力情報に基づき、プラグイン充電作業の進行段階を的確に判断した上で、３つの動作指令を使い分けて出力させることが充電作業コントローラに対して要求される。しかし、この場合、プラグイン充電作業の進行段階を判断する入力情報センサを追加する必要があるし、充電作業コントローラには、入力情報に基づき、プラグイン充電作業の進行段階を判断する判断回路や判断プログラムを要する。このため、充電作業コントローラを含む制御系の構成が複雑でコスト増になる。加えて、プラグイン充電作業の進行段階の判断間違いをする可能性が高まり、進行段階の判断間違いより必要な準備体制が整えられなくなることで、プラグイン充電作業が遅延してしまう。【００６４】
これに対し、実施例１では、充電作業コントローラとしてのＶＣＭ５を、ユーザからの操作信号を入力すると、プラグイン充電作業の進行段階にかかわらず、コネクタロック機構７のアンロック動作指令と、充電ポートリッド２３のロック解除動作指令と、を常に出力する構成を採用した。
この構成により、プラグイン充電作業が開始時であるか終了時であるかにかかわりなく、ＶＣＭ５では、ユーザからの操作信号を入力すると、コネクタロック機構７のアンロック動作指令と、充電ポートリッド２３のロック解除動作指令と、が常に出力される。つまり、ロック解除動作指令とアンロック動作指令は、作業開始時においてアンロック動作指令が出力されても問題無いし、作業終了時においてロック解除動作指令が出力されても問題無いというように、相互に干渉し合うような関係ではない。
したがって、プラグイン充電作業の進行段階にかかわらず、ユーザからの操作信号を入力すると２つの動作指令を常に出力するＶＣＭ５としたことで、充電作業制御系の構成が、充電作業の進行段階を判断する場合に比べ、簡単で低コストになる。加えて、充電作業の進行段階の判断間違いによる遅延原因が解消され、充電作業が進行段階にかかわらず必要な準備体制が確実に整えられることで、プラグイン充電作業性が改善される。【００６５】
次に、効果を説明する。
実施例１の電気自動車の充電システムにあっては、下記に列挙する効果を得ることができる。【００６６】
(1) ユーザのスイッチ操作により操作信号を出力するスイッチ手段（遠隔操作スイッチ１ｃ又は車内操作スイッチ３）と、
前記スイッチ手段（遠隔操作スイッチ１ｃ又は車内操作スイッチ３）からの操作信号を入力すると、アクチュエータに対する駆動指令を出力するアクチュエータ駆動回路と、
車外電源２４からの充電コネクタ２０を車両側の充電ポート（普通充電ポート２１）へ差し込んだとき、電気的接続位置にて前記充電コネクタ２０を係合する充電コネクタ係合機構２６に設けられ、前記充電コネクタ２０の係合解除操作を禁止するロック状態と係合解除操作を許容するアンロック状態を切り替えるコネクタロック機構７と、
前記充電ポート（普通充電ポート２１，急速充電ポート２２）を覆う充電ポートリッド２３を閉鎖したとき、リッド閉鎖位置にて前記充電ポートリッド２３をロックするリッドロック機構３３に設けられ、前記充電ポートリッド２３のロックを解除するリッドロック解除機構６と、
を備えた電動車両（電気自動車）の充電システムにおいて、
前記スイッチ手段を、携帯リモコンキー１に設定され、ユーザ操作により操作信号を送信すると、前記コネクタロック機構７のアンロック動作機能と、前記充電ポートリッド２３のロック解除動作機能と、を発揮する１つの遠隔操作スイッチ１ｃとした。
このため、プラグイン充電作業時、作業進行判断や個別操作等によるユーザへの操作負荷を与えることなく充電作業が進行することで、プラグイン充電作業性を改善することができる。【００６７】
(2) 前記遠隔操作スイッチ１ｃを設定した携帯リモコンキー１を、ユーザ操作により操作信号を出力したとき、車載コントローラ（ＢＣＭ２）との間で通信が成立すると、車両用ドアの施錠/開錠を行うドア用操作スイッチ（ドア閉スイッチ１ａ，ドア開スイッチ１ｂ）を備えた車両用ドアの携帯リモコンキーとした。
このため、(1)の効果に加え、プラグイン充電作業のための専用の携帯リモコンキーを追加することなく、車両用ドアの携帯リモコンキー１を流用しながら、充電コネクタ２０のアンロック操作と充電ポートリッド２３のロック解除操作を行うことができる。【００６８】
(3) 前記車両用ドアの携帯リモコンキー１に、前記遠隔操作スイッチ１ｃを、前記ドア用操作スイッチ（ドア閉スイッチ１ａ，ドア開スイッチ１ｂ）とは別に設定した。
このため、(2)の効果に加え、遠隔操作スイッチ１ｃに対するユーザ操作によりドアが開くことが無く、車両用ドアの携帯リモコンキー１を用いながらも防犯性を確保することができる。【００６９】
(4) 前記アクチュエータ駆動回路を、前記遠隔操作スイッチ１ｃへの操作による操作信号を入力すると、前記コネクタロック機構７のロックアクチュエータ７ａに対してアンロック状態とする駆動指令と、前記リッドロック解除機構６のオープナーアクチュエータ６ａに対してロックを解除する駆動指令と、を常に出力する充電作業用コントローラ（ＶＣＭ５）とした
このため、(1)〜(3)の効果に加え、プラグイン充電作業の進行判断を行うことのない簡単で低コストの充電作業用コントローラ（ＶＣＭ５）としながら、各作業進行段階で充電作業の準備体制が整えられることで、プラグイン充電作業性を改善することができる。【００７０】
(5) 前記充電ポート（普通充電ポート２１，急速充電ポート２２）に光を照射するポート照明器８を設け、
前記遠隔操作スイッチ１ｃは、ユーザ操作により操作信号を送信すると、前記ポート照明器８の点灯機能を発揮する。
このため、(1)〜(4)の効果に加え、ポート照明器８の点灯操作を、携帯リモコンキー１の遠隔操作スイッチ１ｃを用いた車外からの遠隔操作により行うことで、プラグイン充電作業性を改善することができる。【００７１】
(6) 前記アクチュエータ駆動回路を、前記遠隔操作スイッチ１ｃへの操作による操作信号を入力すると、前記コネクタロック機構７のロックアクチュエータ７ａに対してアンロック状態とする駆動指令と、前記リッドロック解除機構６のオープナーアクチュエータ６ａに対してロックを解除する駆動指令と、前記ポート照明器８への点灯指令を常に出力する充電作業用コントローラ（ＶＣＭ５）とした。
このため、(5)の効果に加え、プラグイン充電作業の進行判断を行うことのない簡単で低コストの充電作業用コントローラ（ＶＣＭ５）としながら、夜間作業を含めて各作業進行段階で充電作業の準備体制が整えられることで、プラグイン充電作業性を改善することができる。【００７２】
(7) 前記遠隔操作スイッチ１ｃへのユーザ操作による動作機能と同じ機能を発揮する車内操作スイッチ３を、車室内に設定した。
このため、(1)〜(6)の効果に加え、プラグイン充電作業を行うに際し、遠隔操作スイッチ１ｃと車内操作スイッチ３のうち、充電作業進行状況やユーザ位置に応じてより好都合である操作アイテムを選択する自由度を与えることができる。【００７３】
さらに、実施例１の携帯リモコンキー１にあっては、下記に列挙する効果を得ることができる。【００７４】
(8) 車両側の充電ポート（普通充電ポート２１）へ差し込まれた充電コネクタ２０の係合解除操作を禁止するロック状態と係合解除操作を許容するアンロック状態を切り替えるコネクタロック機構７と、
前記充電ポート（普通充電ポート２１，急速充電ポート２２）を覆う充電ポートリッド２３のロックを解除するリッドロック解除機構６と、
を備えた電動車両に対して操作信号を送信する携帯リモコンキー１であって、
ユーザ操作により操作信号を送信すると、車両用ドアの施錠/開錠を行うドア用操作スイッチ（ドア閉スイッチ１ａ，ドア開スイッチ１ｂ）と、
ユーザ操作により操作信号を送信すると、前記コネクタロック機構７のアンロック動作機能と、前記充電ポートリッド２３のロック解除動作機能と、を発揮する１つの遠隔操作スイッチ１ｃと、
を有する。
このため、車外からの遠隔操作により、充電コネクタ２０のアンロック動作と、充電ポートリッド２３のリッドロック解除動作と、を発揮することでプラグイン充電作業性を改善する携帯リモコンキー１を提供することができる。【００７５】
(9) 前記遠隔操作スイッチ１ｃを、前記ドア用操作スイッチ（ドア閉スイッチ１ａ，ドア開スイッチ１ｂ）とは別に設定した。
このため、(8)の効果に加え、遠隔操作スイッチ１ｃに対するユーザ操作によりドアが開くことが無く、防犯性を確保する携帯リモコンキー１を提供することができる。【００７６】
(10) 前記遠隔操作スイッチ１ｃは、ユーザ操作により操作信号を送信すると、前記充電ポート（普通充電ポート２１，急速充電ポート２２）に光を照射するポート照明器８を点灯する。
このため、(8)又は(9)の効果に加え、ポート照明器８の点灯操作を、車外からの遠隔操作により行うことで、プラグイン充電作業性を改善する携帯リモコンキー１を提供することができる。【００７７】
以上、本発明の電動車両の充電システムと携帯リモコンキーを実施例１に基づき説明してきたが、具体的な構成については、この実施例１に限られるものではなく、請求の範囲の各請求項に係る発明の要旨を逸脱しない限り、設計の変更や追加等は許容される。【００７８】
実施例１では、充電コネクタ係合機構２６として、レバー軸２７を中心として回動可能に設けられたリリースレバー２８により構成される例を示した。しかし、充電コネクタ係合機構としては、実施例１以外の構造であっても良く、要するに、充電コネクタを充電ポートに差し込んだとき、電気的接続位置にて充電コネクタを係合するものであれば良い。【００７９】
実施例１では、コネクタロック機構７として、正逆回動するプレート軸７１に設けられ、ロック位置ストッパ７２とアンロック位置ストッパ７３の間を動作するロックプレート７４により構成される例を示した。しかし、コネクタロック機構としては、特開２０１０−２６４８４７号公報に記載されているように、スライド動作をするロックバーを用いるような例であっても良い。要するに、外部からの指令により充電コネクタの係合解除操作を禁止するロック状態と充電コネクタの係合解除操作を許容するアンロック状態を切り替える機構であれば良い。【００８０】
実施例１では、コネクタロック機構７を、普通充電ポート２１側に設ける例を示した。しかし、コネクタロック機構は、普通充電ポートと急速充電ポートの両方に設ける例としても良い。また、充電ポートとして、普通充電と急速充電を兼用する１つの充電ポートを備えているものであっても良く、この場合、１つの充電ポートにコネクタロック機構を設ける。【００８１】
実施例１では、車載コントローラとしてＢＣＭ２を用い、充電用コントローラとしてＶＣＭ５を用いるというように２つのコントローラを別々に設定する例を示した。しかし、車載コントローラ及び充電用コントローラとしては、１つのコントローラによる構成する例であっても良いし、２つ以上のコントローラを用いる例であっても良い。【００８２】
実施例１では、本発明の充電システムを電気自動車に適用する例を示した。しかし、本発明の充電システムは、プラグインハイブリッド車に対しても適用することができる。要するに、車外電源からの充電コネクタを車両側の充電ポートに差し込み接続してプラグイン充電を行う電動車両であれば適用できる。
【関連出願の相互参照】
【００８３】
本出願は、２０１２年３月１４日に日本国特許庁に出願された特願２０１２−５６７６５、特願２０１２−５６７６６、特願２０１２−５６７６７に基づいて優先権を主張し、その全ての開示は完全に本明細書で参照により組み込まれる。
【図１】
2013137029.tif 000003
【図２】
2013137029.tif 000004
【図３】
2013137029.tif 000005
【図４】
2013137029.tif 000006
【図５】
2013137029.tif 000007
【図６】
2013137029.tif 000008
【図７】
2013137029.tif 000009
【図８】
2013137029.tif 000010
【図９】
2013137029.tif 000011
【手続補正書】
【提出日】平成25年8月14日(2013.8.14)
【手続補正１】
【補正対象書類名】特許請求の範囲
【補正対象項目名】全文
【補正方法】変更
【補正の内容】
【特許請求の範囲】
【請求項１】
ユーザのスイッチ操作により操作信号を出力するスイッチ手段と、
前記スイッチ手段からの操作信号を入力すると、アクチュエータに対する駆動指令を出力するアクチュエータ駆動回路と、
車外電源からの充電コネクタを車両側の充電ポートへ差し込んだとき、電気的接続位置にて前記充電コネクタを係合する充電コネクタ係合機構に設けられ、前記充電コネクタの係合解除操作を禁止するロック状態と係合解除操作を許容するアンロック状態を切り替えるコネクタロック機構と、
前記充電ポートを覆う充電ポートリッドを閉鎖したとき、リッド閉鎖位置にて前記充電ポートリッドをロックするリッドロック機構に設けられ、前記充電ポートリッドのロックを解除するリッドロック解除機構と、
を備えた電動車両の充電システムにおいて、
前記スイッチ手段を、携帯リモコンキーに設定され、ユーザ操作により操作信号を送信すると、前記コネクタロック機構のアンロック動作機能と、前記充電ポートリッドのロック解除動作機能と、を発揮する１つの遠隔操作スイッチとし、
前記遠隔操作スイッチを設定した携帯リモコンキーを、ユーザ操作により操作信号を出力したとき、車載コントローラとの間で通信が成立すると、車両用ドアの施錠／開錠を行うドア用操作スイッチを備えた車両用ドアの携帯リモコンキーとし、
前記車両用ドアの携帯リモコンキーに、前記遠隔操作スイッチを、前記ドア用操作スイッチとは別に設定し、この１つの遠隔操作スイッチに対する１つの操作のみで、前記コネクタロック機構のアンロック動作機能と、前記充電ポートリッドのロック解除動作機能と、を常に達成する構成とした
ことを特徴とする電動車両の充電システム。
【請求項２】
（削除）
【請求項３】
（削除）
【請求項４】
請求項１に記載された電動車両の充電システムにおいて、
前記アクチュエータ駆動回路を、前記遠隔操作スイッチへの操作による操作信号を入力すると、前記コネクタロック機構のロックアクチュエータに対してアンロック状態とする駆動指令と、前記リッドロック解除機構のオープナーアクチュエータに対してロックを解除する駆動指令と、を常に出力する充電作業用コントローラとした
ことを特徴とする電動車両の充電システム。
【請求項５】
請求項１または請求項４の何れか１項に記載された電動車両の充電システムにおいて、
前記充電ポートに光を照射するポート照明器を設け、
前記遠隔操作スイッチは、ユーザ操作により操作信号を送信すると、前記ポート照明器の点灯機能を発揮する
ことを特徴とする電動車両の充電システム。
【請求項６】
請求項５に記載された電動車両の充電システムにおいて、
前記アクチュエータ駆動回路を、前記遠隔操作スイッチへの操作による操作信号を入力すると、前記コネクタロック機構のロックアクチュエータに対してアンロック状態とする駆動指令と、前記リッドロック解除機構のオープナーアクチュエータに対してロックを解除する駆動指令と、前記ポート照明器への点灯指令を常に出力する充電作業用コントローラとした
ことを特徴とする電動車両の充電システム。
【請求項７】
請求項１または請求項４または請求項５または請求項６の何れか１項に記載された電動車両の充電システムにおいて、
前記遠隔操作スイッチへのユーザ操作による動作機能と同じ機能を発揮する車内操作スイッチを、車室内に設定した
ことを特徴とする電動車両の充電システム。
【請求項８】
車両側の充電ポートへ差し込まれた充電コネクタの係合解除操作を禁止するロック状態と係合解除操作を許容するアンロック状態を切り替えるコネクタロック機構と、
前記充電ポートを覆う充電ポートリッドのロックを解除するリッドロック解除機構と、
を備えた電動車両に対して操作信号を送信する携帯リモコンキーであって、
ユーザ操作により操作信号を送信すると、車両用ドアの施錠／開錠を行うドア用操作スイッチと、
ユーザ操作により操作信号を送信すると、前記コネクタロック機構のアンロック動作機能と、前記充電ポートリッドのロック解除動作機能と、を発揮する１つの遠隔操作スイッチと、を有し、
前記遠隔操作スイッチを、前記ドア用操作スイッチとは別に設定した
ことを特徴とする携帯リモコンキー。
【請求項９】
（削除）
【請求項１０】
請求項８に記載された携帯リモコンキーにおいて、
前記遠隔操作スイッチは、ユーザ操作により操作信号を送信すると、充電ポートに光を照射するポート照明器を点灯する
ことを特徴とする携帯リモコンキー。
【手続補正２】
【補正対象書類名】明細書
【補正対象項目名】０００２
【補正方法】変更
【補正の内容】
【０００２】
［０００５］
本発明は、上記問題に着目してなされたもので、プラグイン充電作業時、作業進行判断や個別操作等によるユーザへの操作負荷を与えることなく充電作業が進行することで、プラグイン充電作業性を改善することができる電動車両の充電システムと携帯リモコンキーを提供することを目的とする。
課題を解決するための手段
［０００６］
上記目的を達成するため、本発明の電動車両の充電システムは、スイッチ手段と、アクチュエータ駆動回路と、コネクタロック機構と、リッドロック解除機構と、を備える。
前記スイッチ手段は、ユーザのスイッチ操作により操作信号を出力する。
前記アクチュエータ駆動回路と、前記スイッチ手段からの操作信号を入力すると、アクチュエータに対する駆動指令を出力する。
前記コネクタロック機構は、車外電源からの充電コネクタを車両側の充電ポートへ差し込んだとき、電気的接続位置にて前記充電コネクタを係合する充電コネクタ係合機構に設けられ、前記充電コネクタの係合解除操作を禁止するロック状態と係合解除操作を許容するアンロック状態を切り替える。
前記リッドロック解除機構は、前記充電ポートを覆う充電ポートリッドを閉鎖したとき、リッド閉鎖位置にて前記充電ポートリッドをロックするリッドロック機構に設けられ、前記充電ポートリッドのロックを解除する。
この電動車両の充電システムにおいて、
前記スイッチ手段を、携帯リモコンキーに設定され、ユーザ操作により操作信号を送信すると、前記コネクタロック機構のアンロック動作機能と、前記充電ポートリッドのロック解除動作機能と、を発揮する１つの遠隔操作スイッチとした。
前記遠隔操作スイッチを設定した携帯リモコンキーを、ユーザ操作により操作信号を出力したとき、車載コントローラとの間で通信が成立すると、車両用ドアの施錠／開錠を行うドア用操作スイッチを備えた車両用ドアの携帯リモコンキーとした。
前記車両用ドアの携帯リモコンキーに、前記遠隔操作スイッチを、前記ドア用操作スイッチとは別に設定し、この１つの遠隔操作スイッチに対する１つの操作のみで、前記コネクタロック機構のアンロック動作機能と、前記充電ポートリッドのロック解除動作機能と、を常に達成する構成とした。
発明の効果
［０００７］
よって、携帯リモコンキーの１つの遠隔操作スイッチに対しユーザ操作による操作信号を送信すると、充電ポートリッドのロックを解除するリッドロック解除機能と、コネクタロック機構をアンロック状態とするアンロック動作機能が発揮される。
すなわち、充電ポートリッドを開いてプラグイン充電を開始するとき、１つの遠隔操作スイッチを操作すると、充電ポートリッドのリッドロックが解除され、プラグイン充電の開始作業体制が整えられる。また、充電ポートから充電コネクタを取り外してプラグイン充電を終了するとき、１つの遠隔操作スイッチを操作すると、コネクタロックがアンロック状態とされ、プラグイン充電の終了作業体制が整えられる。
【手続補正３】
【補正対象書類名】明細書
【補正対象項目名】０００３
【補正方法】変更
【補正の内容】
【０００３】
すなわち、プラグイン充電作業時において、ユーザがプラグイン充電作業の進行段階を判断したり、個別のスイッチを選択して操作したりする必要が無くなり、ユーザへの操作負荷を与えることなく、充電作業がスムーズに進行する。
この結果、プラグイン充電作業時、作業進行判断や個別操作等によるユーザへの操作負荷を与えることなく充電作業が進行することで、プラグイン充電作業性を改善することができる。
遠隔操作スイッチを設定した携帯リモコンキーを、ユーザ操作により操作信号を出力したとき、車載コントローラとの間で通信が成立すると、車両用ドアの施錠／開錠を行うドア用操作スイッチを備えた車両用ドアの携帯リモコンキーとし、車両用ドアの携帯リモコンキーに、遠隔操作スイッチを、ドア用操作スイッチとは別に設定した。
このため、プラグイン充電作業のための専用の携帯リモコンキーを追加することなく、車両用ドアの携帯リモコンキーを流用しながら、充電コネクタのアンロック操作と充電ポートリッドのロック解除操作を行うことができると共に、遠隔操作スイッチに対するユーザ操作によりドアが開くことが無く、車両用ドアの携帯リモコンキーを用いながらも防犯性を確保することができる。
図面の簡単な説明
［０００８］
［図１］実施例１の電気自動車の充電システムの全体概略構成を示すシステム全体概略構成図である。
［図２］実施例１の電気自動車の充電システムの全体回路構成を示すシステム全体回路構成図である。
［図３］実施例１の充電システムにおいて車外操作アイテムとして用いられる携帯リモコンキーを示す正面図である。
［図４］実施例１の充電システムにおいて車内操作アイテムとして用いられる車内操作スイッチ及びロックモード選択スイッチを示す車室内パネル図である。
［図５］実施例１の充電システムにおいて充電コネクタが差し込まれる車両側の充電ポートを覆う充電ポートリッドを開いた状態を示す車両前部斜視図である。
［図６］実施例１の充電システムにおいて普通充電ポートに差し込み接続した充電コネクタのロック状態を示す断面図である。
【国際調査報告】
2013137029.tif 000012
2013137029.tif 000013
2013137029.tif 000014
2013137029.tif 000015